(57)【要約】【課題】保存安定性、間欠特性、及び耐ブリード性に優れる捺染用インクジェットインク組成物を提供することを目的とする。【解決手段】分散染料と、分散剤と、を含み、  前記分散剤が、ナフタレンスルホン酸塩とリグニンスルホン酸塩とを含み、  ナフタレンスルホン酸塩に対するリグニンスルホン酸塩の質量比が、１０／１００〜７５／１００であり、  前記分散剤の含有量が、５．０〜１３質量％である、  捺染用インクジェットインク組成物。【選択図】なし【特許請求の範囲】
【請求項１】
分散染料と、分散剤と、を含み、
前記分散剤が、ナフタレンスルホン酸塩とリグニンスルホン酸塩とを含み、
ナフタレンスルホン酸塩に対するリグニンスルホン酸塩の質量比が、１０／１００〜７
５／１００であり、
前記分散剤の含有量が、５．０〜１３質量％である、
捺染用インクジェットインク組成物。
【請求項２】
前記分散染料が、分子量３８０以下の昇華性染料を含む、請求項１に記載の捺染用イン
クジェットインク組成物。
【請求項３】
前記分散染料が、分子量３５０以下の昇華性染料を含む、請求項１又は２に記載の捺染
用インクジェットインク組成物。
【請求項４】
前記分散染料の含有量が、２．０〜１２質量％である、請求項１〜３のいずれか１項に
記載の捺染用インクジェットインク組成物。
【請求項５】
前記ナフタレンスルホン酸塩に対する前記リグニンスルホン酸塩の前記質量比が、３０
／１００〜５０／１００である、請求項１〜４のいずれか１項に記載の捺染用インクジェ
ットインク組成物。
【請求項６】
前記分散剤の含有量が、８．５〜１１質量％である、請求項１〜５のいずれか１項に記
載の捺染用インクジェットインク組成物。
【発明の詳細な説明】
【技術分野】
【０００１】
本発明は、捺染用インクジェットインク組成物に関する。
【背景技術】
【０００２】
インクジェット記録方法は、比較的単純な装置で、高精細な画像の記録が可能であり、
各方面で急速な発展を遂げている。例えば、特許文献１には、形成した画像の混色部を有
するグラデーションのざらつき感（単色の色分離）が改良され、かつインクの分散安定性
に優れ、形成した画像の色再現性、画像保存性が良好であるインクジェット記録用インク
セットを提供することを目的として、少なくともイエローインク、マゼンタインク及びシ
アンインクの各色インクから構成され、該各色インクが水、水溶性有機溶剤、分散染料及
び分散剤を含有するインクジェット記録用インクセットにおいて、該各色インクで同一の
分散剤を用いることを特徴とするインクジェット記録用インクセットが開示されている。
【先行技術文献】
【特許文献】
【０００３】
【特許文献１】特開２００４−２８５２１８号公報
【発明の概要】
【発明が解決しようとする課題】
【０００４】
しかしながら、分散染料の使用には、インク組成物の保管環境の温度変化により、分散
染料が析出し保存安定性が低下するという問題や、ノズル口付近のインク組成物の乾燥に
より、分散染料が析出し間欠特性（キャリッジ空走後のノズル抜け抑制性）が低下すると
いう問題がある。
【０００５】
その上、分散染料が昇華性染料である場合には、記録速度を向上させるため中間記録媒
体の乾燥時間を短縮すると、得られる記録物にブリードが生じるという問題がある。
【０００６】
本発明は、上述の課題の少なくとも一部を解決するためになされたものであり、保存安
定性、及び間欠特性に優れる捺染用インクジェットインク組成物を提供することを目的と
する。
【課題を解決するための手段】
【０００７】
本発明者らは、上記課題を解決するために鋭意検討した。その結果、ナフタレンスルホ
ン酸塩とリグニンスルホン酸塩とを所定の質量比で併用することにより上記課題を解決で
きることを見出して、本発明を完成させた。
【０００８】
すなわち、本発明は、以下のとおりである。
〔１〕
分散染料と、分散剤と、を含み、
前記分散剤が、ナフタレンスルホン酸塩とリグニンスルホン酸塩とを含み、
ナフタレンスルホン酸塩に対するリグニンスルホン酸塩の質量比が、１０／１００〜７
５／１００であり、
前記分散剤の含有量が、５．０〜１３質量％である、
捺染用インクジェットインク組成物。
〔２〕
前記分散染料が、分子量３８０以下の昇華性染料を含む、前項〔１〕に記載の捺染用イ
ンクジェットインク組成物。
〔３〕
前記分散染料が、分子量３５０以下の昇華性染料を含む、前項〔１〕又は〔２〕に記載
の捺染用インクジェットインク組成物。
〔４〕
前記分散染料の含有量が、２．０〜１２質量％である、前項〔１〕〜〔３〕のいずれか
１項に記載の捺染用インクジェットインク組成物。
〔５〕
前記ナフタレンスルホン酸塩に対する前記リグニンスルホン酸塩の前記質量比が、３０
／１００〜５０／１００である、前項〔１〕〜〔４〕のいずれか１項に記載の捺染用イン
クジェットインク組成物。
〔６〕
前記分散剤の含有量が、８．５〜１１質量％である、前項〔１〕〜〔５〕のいずれか１
項に記載の捺染用インクジェットインク組成物。
【発明を実施するための形態】
【０００９】
以下、本発明を実施するための形態（以下、「本実施形態」という。）について詳細に
説明するが、本発明はこれに限定されるものではなく、その要旨を逸脱しない範囲で様々
な変形が可能である。
【００１０】
〔捺染用インクジェットインク組成物〕
本実施形態の捺染用インクジェットインク組成物は、分散染料と、分散剤と、を含み、
前記分散剤が、ナフタレンスルホン酸塩とリグニンスルホン酸塩とを含み、ナフタレンス
ルホン酸塩に対するリグニンスルホン酸塩の質量比が、１０／１００〜７５／１００であ
り、前記分散剤の含有量が、５．０〜１３質量％である。
【００１１】
〔分散染料〕
イエロー分散染料としては、特に限定されないが、例えば、Ｃ．Ｉ．Ｄｉｓｐｅｒｓｅ
Ｙｅｌｌｏｗ３、４、５、７、９、１３、２３、２４、３０、３３、３４、４２、４４
、４９、５０、５１、５４、５６、５８、６０、６３、６４、６６、６８、７１、７４、
７６、７９、８２、８３、８５、８６、８８、９０、９１、９３、９８、９９、１００、
１０４、１０８、１１４、１１６、１１８、１１９、１２２、１２４、１２６、１３５、
１４０、１４１、１４９、１６０、１６２、１６３、１６４、１６５、１７９、１８０、
１８２、１８３、１８４、１８６、１９２、１９８、１９９、２０２、２０４、２１０、
２１１、２１５、２１６、２１８、２２４、２２７、２３１、２３２等が挙げられる。
【００１２】
オレンジ分散染料としては、特に限定されないが、例えば、Ｃ．Ｉ．Ｄｉｓｐｅｒｓｅ
Ｏｒａｎｇｅ１、３、５、７、１１、１３、１７、２０、２１、２５、２９、３０、３
１、３２、３３、３７、３８、４２、４３、４４、４５、４６、４７、４８、４９、５０
、５３、５４、５５、５６、５７、５８、５９、６１、６６、７１、７３、７６、７８、
８０、８９、９０、９１、９３、９６、９７、１１９、１２７、１３０、１３９、１４２
等が挙げられる。
【００１３】
レッド分散染料としては、特に限定されないが、例えば、Ｃ．Ｉ．Ｄｉｓｐｅｒｓｅ  
Ｒｅｄ１、４、５、７、１１、１２、１３、１５、１７、２７、４３、４４、５０、５２
、５３、５４、５５、５６、５８、５９、６０、６５、７２、７３、７４、７５、７６、
７８、８１、８２、８６、８８、９０、９１、９２、９３、９６、１０３、１０５、１０
６、１０７、１０８、１１０、１１１、１１３、１１７、１１８、１２１、１２２、１２
６、１２７、１２８、１３１、１３２、１３４、１３５、１３７、１４３、１４５、１４
６、１５１、１５２、１５３、１５４、１５７、１５９、１６４、１６７、１６９、１７
７、１７９、１８１、１８３、１８４、１８５、１８８、１８９、１９０、１９１、１９
２、２００、２０１、２０２、２０３、２０５、２０６、２０７、２１０、２２１、２２
４、２２５、２２７、２２９、２３９、２４０、２５７、２５８、２７７、２７８、２７
９、２８１、２８８、２９８、３０２、３０３、３１０、３１１、３１２、３２０、３２
４、３２８等が挙げられる。
【００１４】
バイオレット分散染料としては、特に限定されないが、例えば、Ｃ．Ｉ．Ｄｉｓｐｅｒ
ｓｅ  Ｖｉｏｌｅｔ１、４、８、２３、２６、２７、２８、３１、３３、３５、３６、３
８、４０、４３、４６、４８、５０、５１、５２、５６、５７、５９、６１、６３、６９
、７７等が挙げられる。
【００１５】
グリーン分散染料としては、特に限定されないが、例えば、Ｃ．Ｉ．Ｄｉｓｐｅｒｓｅ
Ｇｒｅｅｎ９等が挙げられる。
【００１６】
ブラウン分散染料としては、特に限定されないが、例えば、Ｃ．Ｉ．Ｄｉｓｐｅｒｓｅ
Ｂｒｏｗｎ１、２、４、９、１３、１９等が挙げられる。
【００１７】
ブルー分散染料としては、特に限定されないが、例えば、Ｃ．Ｉ．Ｄｉｓｐｅｒｓｅ  
Ｂｌｕｅ３、７、９、１４、１６、１９、２０、２６、２７、３５、４３、４４、５４、
５５、５６、５８、６０、６２、６４、７１、７２、７３、７５、７９、８１、８２、８
３、８７、９１、９３、９４、９５、９６、１０２、１０６、１０８、１１２、１１３、
１１５、１１８、１２０、１２２、１２５、１２８、１３０、１３９、１４１、１４２、
１４３、１４６、１４８、１４９、１５３、１５４、１５８、１６５、１６７、１７１、
１７３、１７４、１７６、１８１、１８３、１８５、１８６、１８７、１８９、１９７、
１９８、２００、２０１、２０５、２０７、２１１、２１４、２２４、２２５、２５７、
２５９、２６７、２６８、２７０、２８４、２８５、２８７、２８８、２９１、２９３、
２９５、２９７、３０１、３１５、３３０、３３３等が挙げられる。
【００１８】
ブラック分散染料としては、特に限定されないが、例えば、Ｃ．Ｉ．Ｄｉｓｐｅｒｓｅ
Ｂｌａｃｋ１、３、１０、２４等が挙げられる。
【００１９】
（昇華性染料）
分散染料には、昇華性染料が含まれることが好ましい。ここで「昇華性染料」とは、加
熱により昇華する性質を有する染料である。従来、昇華転写を利用した被記録媒体に対す
る染色が、広く行われている。このような昇華転写を利用した染色方法としては、例えば
、紙等のシート状の中間転写媒体に昇華性染料を含むインクを用いてインクジェット方式
による印刷を行った後、被記録媒体に中間転写媒体を重ねて、加熱により昇華転写する方
法や、剥離可能なインク受容層が設けられた被記録媒体（フィルム製品等）のインク受容
層にインク組成物を用いてインクジェット方式による印刷を行い、その後、そのまま加熱
して下層側の被記録媒体に昇華拡散染色を行い、さらにその後、インク受容層を剥離する
方法等がある。本実施形態において、分散染料が昇華性染料を含んでも、得られる記録物
におけるブリードの発生が抑制され、耐ブリード性に優れるという効果を奏する。
【００２０】
昇華性染料としては、特に限定されないが、例えば、Ｃ．Ｉ．Ｄｉｓｐｅｒｓｅ  Ｙｅ
ｌｌｏｗ  ３、７、８、２３、３９、５１、５４、６０、７１、８６；Ｃ．Ｉ．Ｄｉｓｐ
ｅｒｓｅ  Ｏｒａｎｇｅ  １、１：１、５、２０、２５：１、３３、５６、７６；Ｃ．Ｉ
．Ｄｉｓｐｅｒｓｅ  Ｂｒｏｗｎ  ２；Ｃ．Ｉ．Ｄｉｓｐｅｒｓｅ  Ｒｅｄ  １１、５０
、５３、５５、５５：１、５９、６０、６５、７０、７５、９３、１４６、１５８、１９
０、１９０：１、２０７、２３９、２４０；Ｃ．Ｉ．Ｂａｄ  Ｒｅｄ  ４１；Ｃ．Ｉ．Ｄ
ｉｓｐｅｒｓｅ  Ｖｉｏｌｅｔ  ８、１７、２３、２７、２８、２９、３６、５７；Ｃ．
Ｉ．Ｄｉｓｐｅｒｓｅ  Ｂｌｕｅ１４、１９、２６、２６：１、３５、５５、５６、５８
、６０、６４、６４：１、７２、７２：１、８１、８１：１、９１、９５、１０８、１３
１、１４１、１４５；Ｃ．Ｉ．Ｓｏｌｖｅｎｔ  Ｂｌｕｅ  ３６、６３、１０５、１１１
；Ｃ．Ｉ．Ｓｏｌｖｅｎｔ  Ｖｉｏｌｅｔ  １３等が挙げられる。
【００２１】
分散染料の分子量は、好ましくは３８０以下であり、より好ましくは３５０以下である
。また、分散染料の分子量の下限は、特に限定されないが、好ましくは２７０以上である
。分子量の低い染料は、インク組成物中への溶解度が比較的高いため、特に分散安定性（
保存安定性）の確保が困難である。特に、インク組成物の保存環境が高温となった場合、
分子量の低い染料のインク組成物中へ溶解度はさらに高くなり、インク組成物の保存環境
が常温に戻ったときに、溶解した染料が再結晶することにより異物が生じる。このような
異物は、インクジェットノズルつまりなどを引き起こし、吐出安定性を低下させる。その
ため、分子量が３８０以下である分散染料を用いる場合には、本発明が特に有用となる。
また、分散染料として昇華性染料を用いた場合、分子量が３８０以下であることにより、
昇華性染料の昇華性が向上し、得られる記録物の発色性がより優れる傾向にある。
【００２２】
分散染料の含有量は、インク組成物の総量に対して、好ましくは２．０〜１２質量％で
あり、より好ましくは２．０〜１０質量％であり、さらに好ましくは２．０〜７．５質量
％である。分散染料の含有量が２．０質量％以上であることにより、得られる記録物の発
色性がより向上する傾向にある。また、分散染料の含有量が７．５質量％以下であること
により、吐出安定性及び保存安定性がより向上する傾向にある。
【００２３】
〔分散剤〕
分散剤は、ナフタレンスルホン酸塩とリグニンスルホン酸塩とを含む。ナフタレンスル
ホン酸塩は、常温から低温までの保存環境下における保存安定性に特に優れる。一方で、
リグニンスルホン酸塩は、常温から高温までの保存環境下における保存安定性に特に優れ
る。本実施形態のインク組成物は、ナフタレンスルホン酸塩とリグニンスルホン酸塩とを
共に含むことにより、広い温度領域において、高い保存安定性を示すものとなる。
【００２４】
また、ナフタレンスルホン酸塩のみ又はリグニンスルホン酸塩のみを用いる場合、保存
安定性確保のために、添加量を多くする必要がある。しかしながら、ナフタレンスルホン
酸塩又はリグニンスルホン酸塩の添加量を多くした場合、間欠特性が低下するという問題
も生じる。これに対し、本実施形態のインク組成物は、ナフタレンスルホン酸塩とリグニ
ンスルホン酸塩とを共に含むことにより、高い間欠特性を示すものとなる。
【００２５】
ナフタレンスルホン酸塩としては、特に限定されないが、例えば、ナフタレンスルホン
酸ナトリウム塩、リチウム、カリウム等のナフタレンスルホン酸アルカリ金属塩、ナフタ
レンスルホン酸アンモニウム塩が挙げられる。ナフタレンスルホン酸塩は、１種単独で使
用してもよいし、２種以上を併用してもよい。
【００２６】
リグニンスルホン酸塩としては、特に限定されないが、例えば、リグニンスルホン酸ナ
トリム塩、リチウム、カリウム等のリグニンスルホン酸アルカリ金属塩、リグニンスルホ
ン酸アンモニウム塩が挙げられる。リグニンスルホン酸塩は、１種単独で使用してもよい
し、２種以上を併用してもよい。
【００２７】
ナフタレンスルホン酸塩に対するリグニンスルホン酸塩の質量比（リグニンスルホン酸
塩／ナフタレンスルホン酸塩）は、１０／１００〜７５／１００であり、好ましくは３０
／１００〜５０／１００である。ナフタレンスルホン酸塩に対するリグニンスルホン酸塩
の質量比が１０／１００以上であることにより、保存安定性がより向上する傾向にある。
また、ナフタレンスルホン酸塩に対するリグニンスルホン酸塩の質量比が７５／１００以
下であることにより、間欠特性がより向上する傾向にある。
【００２８】
分散剤の含有量は、インク組成物の総量に対して、５．０〜１３質量％であり、好まし
くは７．０〜１２質量％であり、より好ましくは８．５〜１１質量％である。分散剤の含
有量が５．０質量％以上であることにより、保存安定性がより向上する傾向にある。また
、分散剤の含有量が１３質量％以下であることにより、間欠特性がより向上する傾向にあ
る。
【００２９】
（水）
インク組成物は、水を含んでもよい。水としては、特に限定されないが、例えば、イオ
ン交換水、限外濾過水、逆浸透水、蒸留水等の純水、又は超純水を用いることが好ましい
。特に、これらの水を、紫外線照射又は過酸化水素添加等により滅菌処理した水は、長期
間に亘ってカビやバクテリアの発生がより防止される傾向にある。
【００３０】
水の含有量は、インク組成物の総量に対して、好ましくは５５〜８５質量％であり、よ
り好ましくは６０〜８０質量％であり、さらに好ましくは６５〜７５質量％である。
【００３１】
（保湿剤）
インク組成物は、保湿剤をさらに含んでもよい。保湿剤を含むことにより、吐出安定性
がより向上する傾向にある。そのような保湿剤としては、通常のインクに水溶性有機溶剤
として使用されている化合物を用いることができ、例えば、エタノール又はプロパノール
等の低級アルコール類；グリセリン、エチレングリコール、ジエチレングリコール、トリ
エチレングリコール、テトラエチレングリコール、ポリエチレングリコール、プロピレン
グリコール、ジプロピレングリコール、ポリプロピレングリコール、エチレングリコール
モノメチルエーテル、エチレングリコールモノエチルエーテル、エチレングリコールモノ
ブチルエーテル、ジエチレングリコールモノブチルエーテル、又はトリエチレングリコー
ルモノブチルエーテル、１，３−プロパンジオール、１，４−ブタンジオール、１，２−
ヘキサンジオール、１，５−ペンタンジオール、１，６−ヘキサンジオール、１，２，６
−ヘキサントリオール、又はペンタエリスリトール等のポリオール類、及びそのエーテル
又はエステル等の誘導体；２−ピロリドン、Ｎ−メチル−２−ピロリドン、又はε−カプ
ロラクタム等のラクタム類；チオ尿素、エチレン尿素、又は１，３−ジメチルイミダゾリ
ジノン類等の尿素類；マルチトール、ソルビトール、グルコノラクトン、又はマルトース
等の糖類が挙られる。なお、保湿剤は、一種単独で用いても、二種以上を併用してもよい
。
【００３２】
保湿剤の含有量は、インク組成物の総量に対して、好ましくは５．０〜２５質量％であ
り、より好ましくは７．５〜２２．５質量％であり、さらに好ましくは１０〜２０質量％
である。保湿剤の含有量が上記範囲内であることにより、吐出安定性がより向上する傾向
にある。
【００３３】
（界面活性剤）
インク組成物は、界面活性剤をさらに含んでもよい。界面活性剤としては、特に限定さ
れないが、例えば、アセチレングリコール系界面活性剤、フッ素系界面活性剤、及びポリ
シロキサン系界面活性剤が挙げられる。
【００３４】
これらの中でも、インク組成物への溶解度が大きくなりインク組成物中に異物が一層発
生し難くなるため、ポリシロキサン系界面活性剤がより好ましい。
【００３５】
アセチレングリコール系界面活性剤としては、特に限定されないが、例えば、２，４，
７，９−テトラメチル−５−デシン−４，７−ジオール及び２，４，７，９−テトラメチ
ル−５−デシン−４，７−ジオールのアルキレンオキサイド付加物、並びに２，４−ジメ
チル−５−デシン−４−オール及び２，４−ジメチル−５−デシン−４−オールのアルキ
レンオキサイド付加物から選択される一種以上が好ましい。アセチレングリコール系界面
活性剤の市販品としては、特に限定されないが、例えば、オルフィン１０４シリーズやオ
ルフィンＥ１０１０等のＥシリーズ（エアプロダクツ社（Air Products Japan, Inc.）製
商品名）、サーフィノール４６５やサーフィノール６１（日信化学工業社（Nissin Chemi
cal Industry CO.,Ltd.）製商品名）などが挙げられる。アセチレングリコール系界面活
性剤は、１種単独で使用してもよいし、２種以上を併用してもよい。
【００３６】
フッ素系界面活性剤としては、特に限定されないが、例えば、パーフルオロアルキルス
ルホン酸塩、パーフルオロアルキルカルボン酸塩、パーフルオロアルキルリン酸エステル
、パーフルオロアルキルエチレンオキサイド付加物、パーフルオロアルキルベタイン、パ
ーフルオロアルキルアミンオキサイド化合物が挙げられる。フッ素系界面活性剤の市販品
としては、特に限定されないが、例えば、Ｓ-１４４、Ｓ-１４５（旭硝子株式会社製）；
ＦＣ-１７０Ｃ、ＦＣ-４３０、フロラード-ＦＣ４４３０（住友スリーエム株式会社製）
；ＦＳＯ、ＦＳＯ−１００、ＦＳＮ、ＦＳＮ−１００、ＦＳ−３００（Ｄｕｐｏｎｔ社製
）；ＦＴ−２５０、２５１（株式会社ネオス製）などが挙げられる。フッ素系界面活性剤
は、１種単独で使用してもよいし、２種以上を併用してもよい。
【００３７】
シリコーン系界面活性剤としては、ポリシロキサン系化合物、ポリエーテル変性オルガ
ノシロキサン等が挙げられる。シリコーン系界面活性剤の市販品としては、特に限定され
ないが、具体的には、ＢＹＫ−３０６、ＢＹＫ−３０７、ＢＹＫ−３３３、ＢＹＫ−３４
１、ＢＹＫ−３４５、ＢＹＫ−３４６、ＢＹＫ−３４７、ＢＹＫ−３４８、ＢＹＫ−３４
９（以上商品名、ビックケミー・ジャパン株式会社製）、ＫＦ−３５１Ａ、ＫＦ−３５２
Ａ、ＫＦ−３５３、ＫＦ−３５４Ｌ、ＫＦ−３５５Ａ、ＫＦ−６１５Ａ、ＫＦ−９４５、
ＫＦ−６４０、ＫＦ−６４２、ＫＦ−６４３、ＫＦ−６０２０、Ｘ−２２−４５１５、Ｋ
Ｆ−６０１１、ＫＦ−６０１２、ＫＦ−６０１５、ＫＦ−６０１７（以上商品名、信越化
学株式会社製）等が挙げられる。
【００３８】
界面活性剤の含有量は、インク組成物の総量に対し、好ましくは０．２０〜１．４質量
％であり、より好ましくは０．４０〜１．２質量％であり、さらに好ましくは０．６０〜
１．０質量％である。界面活性剤の含有量が上記範囲内であることにより、中間転写媒体
への濡れ性を高めてインク組成物の浸透性がより優れる傾向にある。
【００３９】
（その他の添加剤）
インク組成物は、さらに必要に応じて、防黴剤、防腐剤、酸化防止剤、紫外線吸収剤、
キレート剤、酸素吸収剤、ｐＨ調整剤（例えば、トリエタノールアミン、アジピン酸、水
酸化カリウム）、又は溶解助剤、その他、通常のインクにおいて用いることができる各種
添加剤を含んでもよい。なお、各種添加剤は、１種単独で用いても、２種以上を併用して
もよい。
【００４０】
〔記録方法〕
次に、本実施形態のインク組成物を用いた記録物の記録方法の一例について説明する。
分散染料が昇華性染料ではない場合の記録方法としては、特に限定されないが、例えば、
インクジェット方式により、本実施形態のインク組成物を被記録媒体に付着させて記録物
を得る方法が挙げられる。
【００４１】
また、分散染料が昇華性染料である場合の記録方法としては、特に限定されないが、例
えば、インクジェット方式により、本実施形態のインク組成物を中間転写媒体に付着させ
るインク付着工程と、インク組成物が付着した中間転写媒体を乾燥させる乾燥工程と、イ
ンク組成物が付着された中間転写媒体を加熱し、インク組成物を構成する昇華性染料を被
記録媒体に転写させる転写工程と、を有する方法が挙げられる。以下、分散染料が昇華性
染料である場合の記録方法の各工程について詳細に説明する。
【００４２】
（インク付着工程）
インク付着工程では、インクジェット方式により、本実施形態のインク組成物を中間転
写媒体に付着させる。インクジェット方式によるインク組成物の吐出は、公知のインクジ
ェット記録装置を用いて行うことができる。吐出方法としては、ピエゾ方式や、インクを
加熱して発生した泡（バブル）によりインクを吐出させる方式等を用いることができる。
このなかでも、インク組成物の変質のし難さ等の観点から、ピエゾ方式が好ましい。
【００４３】
インク付着工程では、本実施形態のインク組成物以外のインク組成物を用いてもよい。
これにより、例えば、表現することのできる色域をより広いものとすることができる。
【００４４】
（中間転写媒体）
中間転写媒体としては、特に限定されないが、例えば、普通紙等の紙、インク受容層が
設けられた被記録媒体（インクジェット用専用紙、コート紙等で呼称される）等を用いる
ことができる。このなかでも、シリカ等の無機微粒子でインク受容層が設けられた紙が好
ましい。これにより、中間転写媒体に付着したインク組成物が乾燥する過程で、滲み等が
抑制された中間転写媒体を得ることができ、また、後の転写工程において、昇華性染料の
昇華がより円滑に進行する傾向にある。
【００４５】
（乾燥工程）
乾燥工程は、インク組成物が付着した中間転写媒体を乾燥させる工程である。乾燥時間
は、乾燥温度にもよるが、常温においては、好ましくは２０分以下であり、より好ましく
は１０分以下であり、さらに好ましくは５分以下である。
【００４６】
（転写工程）
その後、インク組成物が付着された中間転写媒体を加熱し、インク組成物を構成する昇
華性染料を被記録媒体に転写させる。これにより、記録物が得られる。
【００４７】
本工程での加熱温度は、１６０℃以上２２０℃以下が好ましく、１７０℃以上２００℃
以下がより好ましい。加熱温度が上記範囲内であることにより、転写に要するエネルギー
をより少なくすることができ、記録物の生産性により優れる傾向にある。また、得られる
記録物の発色性がより優れる傾向にある。
【００４８】
本工程での加熱時間は、加熱温度にもよるが、３０秒以上９０秒以下が好ましく、４５
秒以上８０秒以下がより好ましい。加熱時間が上記範囲内であることにより、転写に要す
るエネルギーをより少なくすることができ、記録物の生産性により優れる傾向にある。ま
た、得られる記録物の発色性がより優れる傾向にある。
【００４９】
また、本工程は、インク組成物が付着された中間転写媒体の表面を、被記録媒体と一定
間隔で離間して対向させた状態で加熱することにより行うことも、中間転写媒体と被記録
媒体とを密着させた状態で加熱することにより行うこともできる。このなかでも、中間転
写媒体と被記録媒体とを密着させた状態で加熱することにより行うことが好ましい。これ
により、転写に要するエネルギーをより少なくすることができ、記録物の生産性により優
れる傾向にある。また、得られる記録物の発色性がより優れる傾向にある。
【００５０】
（被記録媒体）
被記録媒体としては、特に限定されないが、例えば、布帛（疎水性繊維布帛等）、樹脂
（プラスチック）フィルム、紙、ガラス、金属、陶磁器等が挙げられる。また、被記録媒
体としては、シート状、球状又は直方体形状等の立体的な形状を有する物を用いてもよい
。
【００５１】
被記録媒体が布帛である場合に、布帛を構成する繊維としては、特に限定されないが、
例えば、ポリエステル繊維、ナイロン繊維、トリアセテート繊維、ジアセテート繊維、ポ
リアミド繊維及びこれらの繊維を２種以上用いた混紡品等が挙げられる。また、これらと
レーヨン等の再生繊維あるいは木綿、絹、羊毛等の天然繊維との混紡品を用いてもよい。
【００５２】
また、被記録媒体が樹脂（プラスチック）フィルムである場合、用い得る樹脂（プラス
チック）フィルムとしては、特に限定されないが、例えば、ポリエステルフィルム、ポリ
ウレタンフィルム、ポリカーボネートフィルム、ポリフェニレンサルファイドフィルム、
ポリイミドフィルム、ポリアミドイミドフィルム等が挙げられる。樹脂（プラスチック）
フィルムは、複数の層が積層された積層体であってもよいし、材料の組成が傾斜的に変化
する傾斜材料で構成されたものであってもよい。
【００５３】
また、本実施形態のインク組成物は、中間転写媒体を用いない昇華転写においても好適
に使用できる。中間転写媒体を用いない昇華転写は、特に限定されないが、例えば、剥離
可能なインク受容層が設けられた被記録媒体（フィルム製品等）のインク受容層に、イン
クジェット方式により本実施形態のインク組成物を付着させる工程と、インク組成物が付
着されたインク受容層が設けられた被記録媒体をそのまま加熱して、インク受容層から、
その下層側の被記録媒体に昇華拡散染色する工程と、インク受容層を被記録媒体から剥離
して記録物を得る工程とを有する方法が挙げられる。
【実施例】
【００５４】
以下、本発明を実施例及び比較例を用いてより具体的に説明する。本発明は、以下の実
施例によって何ら限定されるものではない。
【００５５】
［インク組成物用の材料］
下記の実施例及び比較例において使用したインク組成物用の主な材料は、以下の通りで
ある。
〔分散染料〕
Ｃ．Ｉ．Ｄｉｓｐｅｒｓ  Ｒｅｄ  ６０
Ｃ．Ｉ．Ｓｏｌｖｅｎｔ  Ｖｉｏｌｅｔ  １３
Ｃ．Ｉ．Ｄｉｓｐｅｒｓ  Ｂｌｕｅ  ６０
〔分散剤〕
ナフタレンスルホン酸ナトリウム塩
リグニンスルホン酸ナトリウム塩
〔保湿剤〕
グリセリン
〔界面活性剤〕
ＢＹＫ３４８（シリコーン界面活性剤、ＢＡＳＦ社製）
【００５６】
［インク組成物の調製］
各材料を下記の表１に示す組成で混合し、十分に撹拌し、各インク組成物を得た。なお
、下記の表１中、数値の単位は質量％であり、合計は１００．０質量％である。
【００５７】
【表１】
2015147826.tif 000002
【００５８】
【表２】
2015147826.tif 000003
【００５９】
〔保存安定性〕
口径１０μｍのメンブレンフィルター（JCWP04700）に通過させたインク組成物をサン
プル瓶に入れ、６０℃で１週間放置した。その後、口径１０μｍの金属製フィルター（面
積０．８ｍｍ2、厚さ１０μｍ）に通過させた場合の異物の発生状況により、保存安定性
を評価した。評価基準を以下に示す。
（評価基準）
Ａ  ：異物が２個／１０ｍＬ以下発生した。
Ｂ  ：異物が３〜１０個／１０ｍＬ発生した。
Ｃ  ：異物が１１個／１０ｍＬ以上発生した。
【００６０】
〔間欠特性〕
上記で得られたインク組成物をインクカートリッジに充填し、インクジェットプリンタ
（PX-H6000、セイコーエプソン社製）に装着した。その後、プリンタードライバーを用い
て、プリンタのヘッドにインク組成物を充填し、目詰まりしているノズルがなく、通常記
録できることを確認した。
【００６１】
インクを吐出させない状態でキャリッジを５．０秒間駆動させた後、中間転写媒体（Tr
ansjetSportsline9310、Cham Paper社製）上にインク滴を吐出した。尚、プリンタの動作
環境は23℃、50ＲＨ％とした。ノズル抜けの生じたノズル数を測定し、以下の評価基準で
間欠特性を評価した。
Ａ：ノズル抜けなし。
Ｂ：ノズル全体の０％超過１０％以下でノズル抜けが生じた。
Ｃ：ノズル全体の１０％超過でノズル抜けが生じた。
【００６２】
〔耐ブリード性〕
インクジェットプリンタ（PX-H6000、セイコーエプソン社製）に、得られたインク組成
物をそれぞれ充填し、インクジェットノズルから吐出できることを確認した。このインク
ジェットプリンタ（PX-H6000、セイコーエプソン社製）を用いて、各インク組成物を、各
中間記録媒体に付着させて、パッチを記録した。なお、パッチの大きさ及び形状は、３ｃ
ｍ×３ｃｍ四方とした。
【００６３】
各中間記録媒体への記録後、23℃、50ＲＨ％の環境下で５分間各中間記録媒体を放置し
た。その後、パッチを記録した各中間記録媒体のインク組成物が付着した面と、被記録媒
体（東レ社製アミーナ）とを対向させた状態で、２００℃で６０秒間加熱し、インク組成
物に含まれる分散染料を被記録媒体に転写させて、各記録物を得た。各記録物は、中間記
録媒体のパッチに対応する記録面を有した。
【００６４】
上記同様に、放置時間を１０分、１２０分とした場合の記録物も作製した。各記録物の
パッチに対応する記録面のブリードを目視で観察し、下記評価基準によりにじみを評価し
た。
（評価基準）
Ａ：放置時間５分でもにじみが発生しなかった。
Ｂ：放置時間５分ではにじみが発生したが、放置時間１０分ではにじみが発生しなかっ
た。
Ｃ：放置時間１０分ではにじみが発生したが、放置時間１２０分ではにじみが発生しな
かった。または、放置時間１２０分でもにじみが発生した。